(57)【要約】【課題】日常生活に支障を来さず、地震発生時には簡単に逃げ込んで身体の安全を確保することができる緊急避難用構造体を提供する。【解決手段】緊急避難用構造体１０は、建築物の居室内のコーナ部Ｋに設置されており、コーナ部Ｋを構成する複数の壁面Ｗ１，Ｗ２に沿ってそれぞれ立設された長方形をした複数の壁部材１ａ，１ｂと、人間Ｍを起立姿勢で収容可能な避難用空間Ｓ１を壁部材１ａ，２ｂの間に形成するため居室の天井Ｃより低い位置に壁部材１ａ，１ｂの上縁部と連接して配置された直角二等辺三角形をした天井部材２と、を備えている。緊急避難用構造体１０は、壁部材１ａ，１ｂを貫通する複数のボルト３を壁面Ｗ１，Ｗ２に螺着することによってコーナ部Ｋに固定されている。【選択図】  図１
2007002619.tif 000002
【特許請求の範囲】
【請求項１】
建築物の居室内のコーナ部に設置する緊急避難用構造体であって、前記コーナ部を構成する複数の壁面に沿ってそれぞれ立設された複数の壁部材と、人間を起立姿勢で収容可能な避難用空間を前記壁部材の間に形成するため前記居室の天井より低い位置に前記壁部材と連接して配置された天井部材と、を備えたことを特徴とする緊急避難用構造体。
【請求項２】
前記壁部材と連接する床部材を前記居室の床面に沿って設けた請求項１記載の緊急避難用構造体。
【請求項３】
前記避難用空間の開口部を開閉可能に閉塞する扉と、前記扉を前記避難用空間内から施錠するロック機構を設けた請求項１または２記載の緊急避難用構造体。
【発明の詳細な説明】
【技術分野】
【０００１】
本発明は地震が発生したときに建築物内に居る人が一時的に避難するための緊急避難用構造体に関する。
【背景技術】
【０００２】
地震が発生した場合、建築物内に居る人の緊急避難方法として、机やテーブルの下に潜って落下物から身を守ることが奨励されている。しかしながら、一般家庭の室内に常備されている机やテーブルは、地震の際の落下物に対する強度や避難用スペースが不十分であるため、緊急避難用のボックスや机が提案されている（例えば、特許文献１，２参照）。
【０００３】
特許文献１記載の避難ボックスは、鋼材や硬質樹脂などの硬材で形成された天板、底板および脚とからなる避難用ボックス本体と、ボックス本体の側面に形成された開放部と、天板に設けられた身体安定用の握りと、脚に設けられた身体保護用の肘掛けなどによって構成されている。一方、特許文献２記載の緊急避難用机は、脱着自在の天板と、複数の耐衝撃性壁面で形成されるとともに一面だけが開口された机サイズの堅牢な箱体と、この箱体に摺動可能に取り付けられ当該箱体の開口面を密閉ロック可能な引き出し兼用開口蓋などによって構成されている。
【０００４】
特許文献１，２に記載された緊急避難用のボックスや机を室内に配置しておけば、平常時はそれぞれ机として利用することができ、地震発生の際は、それぞれの内部に逃げ込むことによって身体の安全を確保することができる。また、これらの緊急避難用のボックスや机は、一般の机より高強度であるため、地震時の落下物などによって破損し難く、避難者の安全確保に有効である。
【０００５】
【特許文献１】特開２００３−３１０７７６号公報
【特許文献２】特開平７−２５０７１３号公報
【発明の開示】
【発明が解決しようとする課題】
【０００６】
特許文献１，２に記載の緊急避難用のボックスや机は高強度であるため、地震発生時にこれらの内部に逃げ込めば、身体の安全を確保することができる点では優れている。しかしながら、比較的大きな地震を経験した者であれば分かるように、実際に地震が発生すると身体が竦んで何もできなくなるのが実状であり、素速く机の下に潜り込むことなどの緊急避難行動をとることは不可能に近い。即ち、地震発生時、特許文献１，２に記載の緊急避難用のボックスや机を実際に利用することは極めて困難である。
【０００７】
また、特許文献１，２に記載の緊急避難用のボックスや机は、平常時は机として利用することができる旨の主張がなされているが、いずれも複雑な構造で重量も大であるため、室内に常備した場合、日常生活の邪魔になることが予測される。
【０００８】
本発明が解決しようとする課題は、日常生活に支障を来さず、地震発生時には簡単に逃げ込んで身体の安全を確保することができる緊急避難用構造体を提供することにある。
【課題を解決するための手段】
【０００９】
本発明の緊急避難用構造体は、建築物の居室内のコーナ部に設置する緊急避難用構造体であって、前記コーナ部を構成する複数の壁面に沿ってそれぞれ立設された複数の壁部材と、人間を起立姿勢で収容可能な避難用空間を前記壁部材の間に形成するため前記居室の天井より低い位置に前記壁部材と連接して配置された天井部材と、を備えたことを特徴とする。
【００１０】
このような構成とすれば、本来強度が高く、地震発生時に壊れにくい、建築物の居室内のコーナ部に、複数の壁部材と天井部材で包囲され、人間を起立姿勢で収容することができる広さの避難用空間を形成することができるため、地震発生時には、この避難用空間内に走り込むだけで身体の安全を確保することができる。即ち、身体を屈めたり、床面に座り込んだりすることなく、起立した姿勢のままで簡単に逃げ込んで安全を確保することができる。また、壁面に沿ってそれぞれ立設される複数の壁部材と、これらの壁部材と連接して配置された天井部材とから成る簡素な構造であるため、邪魔にならず、日常生活に支障を来すこともない。
【００１１】
ここで、前記壁部材と連接する床部材を前記居室の床面に沿って設ければ、複数の壁部材と、天井部材と、床部材とで包囲された構造となるため、さらに高強度の避難用空間を形成することができる。
【００１２】
また、前記避難用空間の開口部を開閉可能に閉塞する扉と、前記扉を前記避難用空間内から施錠するロック機構を設けることもできる。このような構成とすれば、扉を閉止することにより、複数の壁部材、天井部材、床部材および扉によって包囲された構造となるため、避難用空間の強度がさらに大幅に向上する。また、避難用空間内に逃げ込んだ避難者が内側から扉を施錠すれば、外部から扉を開くことができなくなるため、地震発生時の避難場所としての用途のほか、強盗などが侵入したときに身を隠すための避難場所としても利用可能となる。
【発明の効果】
【００１３】
本発明により、日常生活に支障を来さず、地震発生時には簡単に逃げ込んで身体の安全を確保することができる緊急避難用構造体を提供することができる。
【発明を実施するための最良の形態】
【００１４】
以下、図面に基づいて、本発明の実施の形態について説明する。図１は本発明の第１実施形態である緊急避難用構造体を示す斜視図、図２は本発明の第２実施形態である緊急避難用構造体を示す斜視図、図３は本発明の第３実施形態である緊急避難用構造体を示す斜視図、図４は図３に示す緊急避難用構造体を扉閉止状態で示す斜視図である。
【００１５】
図１に示す緊急避難用構造体１０は、建築物の居室内のコーナ部Ｋに設置されており、コーナ部Ｋを構成する複数の壁面Ｗ１，Ｗ２に沿ってそれぞれ立設された長方形をした複数の壁部材１ａ，１ｂと、人間Ｍを起立姿勢で収容可能な避難用空間Ｓ１を壁部材１ａ，２ｂの間に形成するため居室の天井Ｃより低い位置に壁部材１ａ，１ｂの上縁部と連接して配置された直角二等辺三角形をした天井部材２と、を備えている。
【００１６】
この緊急避難用構造体１０は、壁部材１ａ，１ｂを貫通する複数のボルト３を壁面Ｗ１，Ｗ２に螺着することによってコーナ部Ｋに固定されている。２つの壁部材１ａ，１ｂは互いに直角をなすように配置され、天井部材２は、その直角部分をコーナ部Ｋの直角部分に当接させ、２つの等辺部分に沿ってそれぞれ壁部材１ａ，１ｂの上縁部が固着されている。なお、コーナ部Ｋを形成する一方の壁面Ｗ１にはドアＤが設けられているが、緊急避難用構造体１０はドアＤの有無に関係なく設置することができる。
【００１７】
このような構成とすれば、本来強度が高く、地震発生時に壊れにくいコーナ部Ｋに、複数の壁部材１ａ，１ｂと天井部材２で包囲され、人間Ｍを起立姿勢のままで収容することができる広さの避難用空間Ｓ１を形成されるため、地震発生時には、この避難用空間Ｓ１内に走り込むだけで身体の安全を確保することができる。即ち、人間Ｍは、身体を屈めたり、床面に座り込んだりすることなく、床面Ｆに起立した普段の姿勢のまま簡単に逃げ込むことができ、これによって身体の安全を確保することができる。
【００１８】
また、緊急避難用構造体１０は、壁面Ｗ１，Ｗ２に沿ってそれぞれ立設される複数の壁部材１ａ，１ｂと、これらの壁部材１ａ，１ｂと連接して配置された天井部材２とから成る簡素な構造であるため、邪魔にならず、日常生活に支障を来すこともない。また、緊急避難用構造体１０は略三角筒形状であり、外力によって変形し難いため、地震発生時に避難用空間Ｓ１内に逃げ込んだ人間Ｍの安全確保に有効である。
【００１９】
次に、図２を参照して、本発明の第２実施形態について説明する。図２に示す緊急避難用構造体３０は、建築物の居室内のコーナ部Ｋに設置されており、コーナ部Ｋを構成する複数の壁面Ｗ１，Ｗ２に沿ってそれぞれ立設された長方形をした複数の壁部材３１ａ，３１ｂと、人間Ｍを起立姿勢で収容可能な避難用空間Ｓ２を壁部材３１ａ，３１ｂの間に形成するため居室の天井Ｃより低い位置に壁部材３１ａ，３１ｂの上縁部と連接して配置された直角二等辺三角形をした天井部材３２と、壁部材３１ａ，３１ｂの下縁部と連接するとともに床面Ｆに沿って配置された直角二等辺三角形の床部材３３とを備えている。
【００２０】
地震発生時、床面Ｆに立っていた人間Ｍはそのまま避難用空間Ｓ２内に逃げ込み、床部材３３の上面３３ａに起立するだけで、身体の安全を確保することができる。緊急避難用構造体３０の場合、複数の壁部材３１ａ，３１ｂと、天井部材３２と、床部材３３とで包囲された構造であるため、さらに高強度の避難用空間Ｓ２を形成することができる。また、緊急避難用構造体３０は、天井部材３２と壁部材３１ａ，３１ｂとの接合部分と、コーナ部Ｋとの間に張設されたワイヤ３４によってコーナ部Ｋに固定されているため、ワイヤ３４を外せば、容易に他の場所へ移動させることができる。その他の部分の構造、機能は緊急避難用構造体１０と同様である。
【００２１】
次に、図３，図４を参照して、本発明の第３実施形態について説明する。図３，図４に示す緊急避難用構造体５０は、建築物の居室内のコーナ部Ｋに設置されており、コーナ部Ｋを構成する複数の壁面Ｗ１，Ｗ２に沿ってそれぞれ立設された長方形をした複数の壁部材５１ａ，５１ｂと、人間Ｍを起立姿勢で収容可能な避難用空間Ｓ３を壁部材５１ａ，５１ｂの間に形成するため居室の天井Ｃより低い位置に壁部材５１ａ，５１ｂの上縁部と連接して配置された直角二等辺三角形をした天井部材５２と、壁部材５１ａ，５１ｂの下縁部と連接するとともに床面Ｆに沿って配置された直角二等辺三角形の床部材５３とを備えている。緊急避難用構造体５０は、天井部材５２と壁部材５１ａ，５１ｂの接合部分と、コーナ部Ｋとの間に張設されたワイヤ５４によってコーナ部Ｋに固定されている。
【００２２】
また、避難用空間Ｓ３の開口部を開閉可能に閉塞する扉５５と、扉５５を避難用空間内から施錠するロック機構５８ａ，５８ｂとが設けられている。扉５５は複数の蝶番５６によって壁部材５１ｂの前縁部に旋回可能に取り付けられ、平常時は、図３に示すように、壁面Ｗ２に沿った状態に保持されている。扉５５には高強度の透明樹脂板５７ａが嵌め込まれた覗き窓５７ｂが設けられている。また、壁部材５１ａの内面には照明灯６０と、他の場所に配置された非常ベル（図示せず）を鳴らすためのスイッチ５９とが設けられている。
【００２３】
地震発生時に避難用空間Ｓ３内に逃げ込んだ人間Ｍが、図４に示すように扉５５を閉止すれば、複数の壁部材５１ａ，５１ｂ、天井部材５２、床部材５３および扉５５によって包囲された三角筒体構造が形成されるため、極めて高強度の避難用空間Ｓ３を得ることができる。また、避難用空間Ｓ３内に逃げ込んだ人間Ｍがロック機構５８ａ，５８ｂを用いて内側から扉５５を施錠すれば、外部から扉５５を開くことができなくなるため、地震発生時の避難場所としての用途のほか、強盗などが侵入したときに身を隠すための避難場所としても利用可能となる。
【００２４】
扉５５を閉止すると照明灯６０が自動的に点灯するので、避難用空間Ｓ３内の人間Ｍは明るさを確保することができ、覗き窓５７ｂを通じて外部の様子を見ることが可能であり、スイッチ５９をＯＮすることにより非常ベル（図示せず）を鳴らすこともできる。なお、避難用空間Ｓ３内に居る人間Ｍが扉５５を内側から施錠した状態のまま、気絶したり、動けなくなったりした場合、扉５５の外側にある鍵穴６１に所定の鍵を差し込んで回すことにより解錠することができるため、人間Ｍが救出不能となることはない。その他の部分の構造、機能は緊急避難用構造体１０，３０と同様である。
【００２５】
前述した緊急避難用構造体１０，３０，５０を構成する素材については特に限定しないので、地震発生時の落下物などによって容易に損傷しない材料を使用して組み立てることができるが、例えば、木材、金属材、合成樹脂材などが好適である。また、緊急避難用構造体１０，３０，５０は分解した状態で居室内へ搬入して組み立てることができるため、新築の際は勿論、既設の建築物内にも容易に設置することができ、設置後の移動も簡単である。
【産業上の利用可能性】
【００２６】
本発明は、一般住宅などの建築物内における地震発生時の緊急避難手段として広く利用することができる。
【図面の簡単な説明】
【００２７】
【図１】本発明の第１実施形態である緊急避難用構造体を示す斜視図である。
【図２】本発明の第２実施形態である緊急避難用構造体を示す斜視図である。
【図３】本発明の第３実施形態である緊急避難用構造体を示す斜視図である。
【図４】図３に示す緊急避難用構造体を扉閉止状態で示す斜視図である。
【符号の説明】
【００２８】
１ａ，１ｂ，３１ａ，３１ｂ，５１ａ，５１ｂ  壁部材
２，３２，５２  天井部材
３  ボルト
１０，３０，５０  緊急避難用構造体
３３，５３  床部材
３３ａ  上面
３４，５４  ワイヤ
５５  扉
５６  蝶番
５７ａ  透明樹脂板
５７ｂ  覗き窓
５８ａ，５８ｂ  ロック機構
５９  スイッチ
６０  照明灯
６１  鍵穴
Ｃ  天井
Ｄ  ドア
Ｆ  床面
Ｋ  コーナ部
Ｍ  人間
Ｓ１，Ｓ２，Ｓ３  避難用空間
Ｗ１，Ｗ２  壁面
【図１】
2007002619.tif 000003
【図２】
2007002619.tif 000004
【図３】
2007002619.tif 000005
【図４】
2007002619.tif 000006